(57)【特許請求の範囲】
【請求項１】
小切手に所定の記載事項を印字するもので、インクリボンを用いるものであり、当該インクリボンの濃度低下を伴うドットインパクト方式の小切手用印字ヘッドと、
電子決済をするため、印字後の前記小切手をスキャンし、前記小切手用印字ヘッドによる印字前に前記小切手に予め印刷されている前記小切手のシリアル番号を含む既印字部と、前記小切手用印字ヘッドにより印字した前記記載事項を含むスキャン画像を取得するスキャナと、
前記小切手に予め印刷されている磁気インク文字を読み取るＭＩＣＲヘッドと、
前記小切手による取引内容をレシートに印字するもので、前記スキャン画像の濃淡の表現が可能なサーマル方式またはインクジェット方式のレシート用印字ヘッドと、
前記小切手用印字ヘッドにより、前記記載事項と共に所定のマークを前記小切手に印字するマーク印字手段と、
前記レシート用印字ヘッドにより、前記スキャン画像のうち前記既印字部である前記小切手のシリアル番号と前記小切手用印字ヘッドにより印字した前記マークを含む部分を、前記取引内容と共に前記レシートに印字するスキャン画像印字手段と、
を備え、
前記ＭＩＣＲヘッドと前記小切手用印字ヘッド、前記スキャナは、前記小切手の搬送路に配置されることを特徴とする小切手処理装置。
【請求項２】
前記スキャン画像印字手段は、前記スキャン画像のうち前記小切手の既印字部および前記マークを含む部分を前記レシートに印字することを特徴とする請求項１に記載の小切手処理装置。
【請求項３】
前記マークは、前記小切手用印字ヘッドの全てのドット印字要素を使用して印字される形状であることを特徴とする請求項１又は２に記載の小切手処理装置。
【請求項４】
前記マークの印字位置は、前記小切手の既印字部の近傍であることを特徴とする請求項１〜３の何れかに記載の小切手処理装置。
【請求項５】
前記マークの印字位置は、前記小切手の既印字部であるシリアル番号の近傍であることを特徴とする請求項４に記載の小切手処理装置。
【請求項６】
ＭＩＣＲヘッドによって、小切手に予め印刷されている磁気インク文字を読み取る工程と、
インクリボンを用いるものであり、当該インクリボンの濃度低下を伴うドットインパクト方式の小切手用印字ヘッドによって、前記小切手に所定の記載事項を印字する際、前記記載事項と共に所定のマークを前記小切手に印字する工程と、
電子決済をするため、スキャナによって、印字後の前記小切手をスキャンし、前記小切手用印字ヘッドによる印字前に前記小切手に予め印刷されている前記小切手のシリアル番号を含む既印字部と、前記小切手用印字ヘッドにより印字した前記記載事項、前記マークを含むスキャン画像を取得する工程と、
前記スキャン画像の濃淡の表現が可能なサーマル方式またはインクジェット方式のレシート用印字ヘッドによって、前記小切手による取引内容をレシートに印字する際、前記スキャン画像のうち前記既印字部である前記小切手のシリアル番号と前記小切手用印字ヘッドにより印字した前記マークを含む部分を前記取引内容と共に前記レシートに印字する工程と、
を備え、
前記磁気インク文字を読み取る工程と、前記前記小切手に印字する工程と、前記スキャン画像を取得する工程は、前記小切手を搬送路上で搬送して行うことを特徴とする小切手処理方法。
【発明の詳細な説明】
【０００１】
【発明の属する技術分野】
本発明は、パーソナルチェック等の小切手に所定の記載事項を印字すると共に、印字後の前記小切手をスキャンして電子決済を行う小切手処理装置及び小切手処理方法に関する。
【０００２】
【従来の技術】
商取引や店舗での買い物においては、パーソナルチェック等の小切手を用いて支払いが行われることがある。店舗等において小切手を受け取った場合、小切手の有効性を確認した後、小切手の裏面に認証番号等の裏書き事項をプリンタで印字（エンドースメント印字）する。一方、小切手の表面は、通常、本人が金額等の表書き事項を手書きしていたが、近年、この表書きもプリンタで印字するケースが増えている。
【０００３】
また、店舗等における処理が終わった小切手は、銀行等の決済機関に持ち込まれ、最終的な決済処理が行われるが、近年では、取引内容の電子データ、スキャナで読み取った小切手（必要事項を印字したもの）の画像データ等を決済機関に送信することにより、決済処理を効率化することが提唱されている。
【０００４】
【発明が解決しようとする課題】
しかしながら、従来においては、小切手の画像データに基づいて電子決済を行うにあたり、前記画像データの品質をその場で確認する手段がなく、そのため、顧客に使用済み小切手を返却した後、画像データが不適切であることが発覚し、決済トラブルとなる可能性がある。特に、小切手用印字ヘッドとして、インクリボンを用いるドットインパクト方式の印字ヘッドを採用した場合には、インクリボンの濃度低下に伴って画像データも認識し難くなるため、インクリボンの交換を怠ると決済トラブルが発生する惧れがある。
【０００５】
本発明の目的は、小切手のスキャン画像データに基づいて電子決済を行うにあたり、前記画像データの品質をその場で確認することを可能にし、不適切な画像データに起因する決済トラブルを防止することができる小切手処理装置及び小切手処理方法を提供することにある。
【０００６】
【課題を解決するための手段】
前記目的を達成するため本発明の小切手処理装置は、小切手に所定の記載事項を印字するもので、インクリボンを用いるものであり、当該インクリボンの濃度低下を伴うドットインパクト方式の小切手用印字ヘッドと、電子決済をするため、印字後の前記小切手をスキャンし、前記小切手用印字ヘッドによる印字前に前記小切手に予め印刷されている前記小切手のシリアル番号を含む既印字部と、前記小切手用印字ヘッドにより印字した前記記載事項を含むスキャン画像を取得するスキャナと、前記小切手に予め印刷されている磁気インク文字を読み取るＭＩＣＲヘッドと、前記小切手による取引内容をレシートに印字するもので、サーマル方式またはインクジェット方式のレシート用印字ヘッドと前記小切手用印字ヘッドにより、前記記載事項と共に所定のマークを前記小切手に印字するマーク印字手段と、前記レシート用印字ヘッドにより、前記スキャン画像のうち前記小切手のシリアル番号と前記小切手用印字ヘッドにより印字した前記マークを含む部分を、前記取引内容と共に前記レシートに印字するスキャン画像印字手段とを備え、前記ＭＩＣＲヘッドと前記小切手用印字ヘッド、前記スキャナは、前記小切手の搬送路に配置されて構成される。
【０００７】
また、前記スキャン画像印字手段は、前記スキャン画像のうち前記小切手の既印字部および前記マークを含む部分を前記レシートに印字することが好ましい。この場合においては、レシートに印字されたマーク部分の画像に基づいて小切手用印字ヘッドの印字品質（インクリボン濃度、印字ヘッドのドット抜け等）を確認することができる許りでなく、レシートに印字された既印字部分の画像に基づいてスキャナの読み取り品質（故障等）を確認することができる。
【０００８】
また、前記マークは、前記小切手用印字ヘッドの全てのドット印字要素を使用して印字される形状であることが好ましい。この場合においては、小切手用印字ヘッドのドット抜けをチェックすることができる。
【０００９】
また、前記マークの印字位置は、前記小切手の既印字部の近傍であることが好ましい。特には、前記小切手の既印字部であるシリアル番号の近傍であることが好ましい。この場合においては、小切手のシリアル番号をレシートに印字することができ、しかも、小切手におけるシリアル番号の位置は、通常、小切手の隅部であるため、記載事項とマークとが重なる不都合も回避することができる。
【００１０】
また、前記目的を達成するため本発明の小切手処理方法は、ＭＩＣＲヘッドによって、小切手に予め印刷されている磁気インク文字を読み取る工程と、インクリボンを用いるものであり、当該インクリボンの濃度低下を伴うドットインパクト方式の小切手用印字ヘッドによって、前記小切手に所定の記載事項を印字する際、前記記載事項と共に所定のマークを前記小切手に印字する工程と、電子決済をするため、スキャナによって、印字後の前記小切手をスキャンし、前記小切手用印字ヘッドによる印字前に前記小切手に予め印刷されている前記小切手のシリアル番号を含む既印字部と、前記小切手用印字ヘッドにより印字した前記記載事項、前記マークを含むスキャン画像を取得する工程と、前記スキャン画像の濃淡の表現が可能なサーマル方式またはインクジェット方式のレシート用印字ヘッドによって、前記小切手による取引内容をレシートに印字する際、前記スキャン画像のうち前記小切手のシリアル番号と前記小切手用印字ヘッドにより印字した前記マークを含む部分を前記取引内容と共に前記レシートに印字する工程とを備え、前記磁気インク文字を読み取る工程と、前記前記小切手に印字する工程と、前記スキャン画像を取得する工程は、前記小切手を搬送路上で搬送して行う。
【００１１】
【発明の実施の形態】
以下、本発明の一実施形態を図面に沿って説明する。図１は、本発明の一実施形態に係る小切手処理装置の斜視図である。この図に示されるように、小切手処理装置１０は、樹脂製のカバー１１で覆われており、その前面部には、小切手Ｃを手差しで挿入する小切手挿入口１２が形成される一方、上面部には、小切手Ｃを排出する小切手排出口１３と、レシートＲを排出するレシート排出口１４とが形成される。
【００１２】
図２は、小切手処理装置の内部構造を示す側断面図である。この図に示されるように、小切手処理装置１０の内部には、小切手挿入口１２から小切手排出口１３に至る小切手搬送経路１５が形成される。小切手搬送経路１５上には、小切手挿入口１２側から順に、用紙後端検出器１６、ＭＩＣＲヘッド１７（ＭＩＣＲ：Magnetic Ink Character Recognition）、第１送りローラ対１８、用紙先端検出器１９、用紙位置決め部材２０、裏印字ヘッド２１、第二送りローラ対２２、表印字ヘッド（小切手用印字ヘッド）２３、用紙排出検出器２４およびスキャナ２５が配置され、さらに、スキャナ２５の対向位置には、スキャナ送りローラ２６が設けられる。
【００１３】
用紙後端検出器１６、用紙先端検出器１９および用紙排出検出器２４は、例えば透過型もしくは反射型のフォトセンサで構成されており、小切手搬送経路１５の各位置で小切手Ｃの有無を非接触で検出する。用紙位置決め部材２０は、小切手挿入口１２から挿入された小切手Ｃを所定の位置で一旦停止させるためのもので、例えばソレノイド等のアクチュエータ駆動に応じて、小切手搬送経路１５内に突出する姿勢と、小切手搬送経路１５から退避する姿勢とに変姿動作するように構成される。第１送りローラ対１８および第２送りローラ対２２は、それぞれ小切手搬送経路１５を挟んで対向する一対のローラ部材で構成され、何れか一方のローラ駆動によって小切手Ｃを正逆両方向に搬送する。さらに、何れかのローラ部材は、他方のローラ部材に対して進退自在に構成されると共に、例えばソレノイド等のアクチュエータ駆動に応じた進退動作によって小切手搬送経路１５を開閉する。
【００１４】
ＭＩＣＲヘッド１７は、小切手Ｃの表面に記録された磁気インク文字を読み取るためのもので、ＭＩＣＲヘッド１７の読み取りデータに基づいて小切手Ｃの有効・無効が判断される。磁気インク文字は、図３に示されるように、小切手Ｃの表面下端部に確保されたＭＩＣＲ記録領域２７に予め記録されており、記録データには、小切手Ｃの口座番号等が含まれている。尚、ＭＩＣＲヘッド１７の対向位置には、読み取り動作時に小切手ＣをＭＩＣＲヘッド１７に押し付ける押圧部材１７ａが設けられるが、常時は押圧部材１７ａがＭＩＣＲヘッド１７から退避し、小切手搬送経路１５が開かれる。
【００１５】
表印字ヘッド２３は、小切手Ｃの表面に、支払い先、日付、金額等の表書き事項を印字するためのもので、この表書き事項は、図３に示されるように、小切手Ｃの表面中央部に確保された表書き領域２８に印字される。表印字ヘッド２３は、キャリッジに支承され、小切手Ｃの幅方向に移動しながらドットマトリックス印字を行う。本実施形態においては、表印字ヘッド２３の印字方式として、インクリボン上のインクを小切手Ｃに転写するドットインパクト方式を採用しており、小切手Ｃの搬送方向に沿って並ぶ複数のドット印字要素を備える。尚、表印字ヘッド２３の印字方式は、ドットインパクト方式に限定されるものではなく、インクジェット方式等の他の方式を採用してもよい。
【００１６】
表印字ヘッド２３は、表書き事項を印字する際に、所定形状のマークＭを表書き事項と共に小切手Ｃの表面に印字する。マークＭの印字位置は、図３に示されるように、小切手Ｃの表面における右上の隅部であり、該隅部に予め印字される小切手シリアル番号２９の下側近傍に設定される。また、マークＭの形状は、表印字ヘッド２３の全てのドット印字要素を使用して印字される形状であって、例えば記号”■”が使用される。
【００１７】
裏印字ヘッド２１は、小切手Ｃの裏面に買い物客の認証番号、日付、使用金額等の店側として必要な裏書き事項を印字するためのもので、この裏書き事項は、図３に示されるように、小切手Ｃの裏面に確保された裏書き領域３０に印字される。本実施形態においては、裏印字ヘッド２１の印字方式として、インクリボン上のインクを小切手Ｃに転写するドットインパクト方式を採用している。
【００１８】
スキャナ２５は、印字された小切手Ｃの表面をスキャンするためのもので、スキャンされた画像データは、圧縮処理された後、ホストコンピュータに保存され、電子決済に使用される。本実施形態においては、スキャナ２５として、密着型イメージセンサ（ＣＩＳ：Contact Image Sensor）を採用しており、その読み取り面２５ａに小切手Ｃを密着させた状態でスキャン動作が行われる。
【００１９】
スキャナ送りローラ２６は、スキャン動作時に小切手Ｃを搬送するためのもので、スキャナ２５の読み取り面２５ａに小切手Ｃを押し付けつつ、該小切手Ｃを小切手排出口１３側に搬送する。さらに、スキャナ送りローラ２６は、スキャナ２５に対して進退自在に構成されると共に、例えばソレノイド等のアクチュエータ駆動に応じた進退動作によって小切手搬送経路１５を開閉する。
【００２０】
更に、小切手処理装置１０は、その後部にロール紙Ｐを収納する収納部を備える。ロール紙Ｐは、収納部内で回転自在に保持され、その一端側がロール紙搬送経路３１を通って前記レシート排出口１４から引き出される。ロール紙搬送経路３１上には、レシート用印字ヘッド３２と、該レシート用印字ヘッド３２の対向位置でロール紙Ｐを搬送するプラテンローラ３３と、その下流側でロール紙Ｐを切断するカッター機構３４とが配置される。レシート用印字ヘッド３２で印字したロール紙Ｐがレシート排出口１４から排出されると、カッター機構３４がロール紙Ｐを切断するように動作され、ロール紙Ｐの印字部分が単票状のレシートＲとして利用者に提供される。
【００２１】
本実施形態においては、レシート用印字ヘッド３２の印字方式として、サーマル方式を採用しており、ロール紙Ｐの幅方向に沿って並ぶ複数のドット印字要素を備える。各ドット印字要素は、感熱紙であるロール紙Ｐが１又は複数ドット分搬送される毎に１又は複数ドットラインの印字を行うことにより、ドットマトリクス印字を実現する。尚、レシート用印字ヘッド３２の印字方式は、サーマル方式に限定されるものではなく、インクジェット方式等のスキャン画像の濃淡を適切に表現可能な他の方式を採用してもよい。
【００２２】
図４は、レシートを示す図である。この図に示されるように、レシートＲには、上側から順に、店舗名３５、取引日時３６および取引内容３７（商品名、単価、合計金額等）が印字されるが、その取引の支払いが小切手Ｃ（電子決済）で行われた場合は、更に、取引内容３７の下側に、小切手Ｃのスキャン画像データ３８が所定の倍率で印字される。ここで印字されるスキャン画像データ３８は、スキャナ２５がスキャンした小切手Ｃのスキャン画像のうち、右上の隅部を切り取ったものであり、既印字部である小切手シリアル番号２９と、表印字ヘッド２３で印字されたマークＭとが含まれる。
【００２３】
図５は、制御部の入出力を示すブロック図である。この図に示されるように、小切手処理装置１０は、ＣＰＵ、ＲＯＭ、ＲＡＭ等で構成される制御部３９を備える。制御部３９には、前述した用紙後端検出器１６、ＭＩＣＲヘッド１７、用紙先端検出器１９、裏印字ヘッド２１、表印字ヘッド２３、用紙排出検出器２４、スキャナ２５、レシート用印字ヘッド３２およびカッター機構３４に加え、第１送りローラ対１８および第２送りローラ対２２を搬送動作させる小切手搬送モータ４０、スキャナ送りローラ２６を搬送動作させるスキャナ送り用モータ４１、プラテンローラ３３を搬送動作させるロール紙搬送モータ４２、第１送りローラ対１８を開閉動作させる第１送りローラ対用開閉アクチュエータ４３、第２送りローラ対２２を開閉動作させる第２送りローラ対用開閉アクチュエータ４４、スキャナ送りローラ２６を開閉動作させるスキャナ送りローラ用開閉アクチュエータ４５、用紙位置決め部材２０を開閉動作させる用紙位置決め部材用開閉アクチュエータ４６等が接続される。以下、制御部３９において実行される小切手印字制御およびレシート印字制御の制御手順をフローチャートに沿って説明する。
【００２４】
図６は、小切手印字制御を示すフローチャートである。この図に示されるように、小切手印字制御においては、まず、小切手Ｃの挿入待ちを行う（Ｓ６０１）。このとき第１および第２送りローラ対１８、２２は開状態を維持し、用紙位置決め部材２０およびスキャナ送りローラ２６は閉状態を維持する。小切手挿入口１２から小切手Ｃが挿入されると、用紙後端検出器１６および用紙先端検出器１９の検出信号に基づいて小切手Ｃの挿入が判断される。小切手Ｃの挿入を判断すると、第１送りローラ対１８を閉状態（Ｓ６０２）、スキャナ送りローラ２６を開状態（Ｓ６０３）、用紙位置決め部材２０を開状態（Ｓ６０４）とした後、小切手搬送モータ４０を排出口方向に駆動（Ｓ６０５）させながら、ＭＩＣＲヘッド１７による磁気インク文字の読み取り（Ｓ６０６）を行う。ＭＩＣＲ読み取り終了後は、小切手搬送モータ４０の駆動を停止（Ｓ６０７）すると共に、第２送りローラ対２２を閉状態とする（Ｓ６０８）。ＭＩＣＲヘッド１７の読み取りデータは、ホストコンピュータに送信され、小切手Ｃの有効・無効が判定される。ホストコンピュータから判定結果を受信すると、判定結果が有効であるか否かを判断し（Ｓ６０９）、ここで小切手Ｃが無効である場合は、無効小切手排出処理（Ｓ６１０）を実行して小切手印字制御を終了する。一方、小切手Ｃが有効である場合は、小切手搬送モータ４０を排出口方向に駆動（Ｓ６１１）しながら、裏印字位置設定（Ｓ６１２）を行う。裏印字位置設定および後述の各位置設定は、所定の検出器１６、１９、２４による検出位置を基準とし、該基準位置からの搬送ステップ数に基づいて行われる（搬送停止を含む）。裏印字位置設定が終了すると、小切手搬送モータ４０を挿入口方向に駆動（Ｓ６１３）しながら、裏印字ヘッド２１による裏印字処理（Ｓ６１４）を実行する。裏印字処理が終了すると、続いて表印字位置設定（Ｓ６１５）を行い、その後、小切手搬送モータ４０を排出口方向に駆動（Ｓ６１６）しながら、表印字ヘッド２３による表印字処理（Ｓ６１７）を実行する。このとき、小切手Ｃの表面に、表書き事項と共にマークＭが印字される。表印字処理が終了すると、小切手搬送モータ４０を挿入口方向に駆動（Ｓ６１８）しながら、スキャン開始位置設定（Ｓ６１９）を行い、その後、スキャナ送りローラ２６を閉状態（Ｓ６２０）とし、第１および第２送りローラ対１８、２２を開状態（Ｓ６２１）とする。次に、スキャナ送り用モータ４１を排出口方向に駆動（Ｓ６２２）しながら、スキャン処理（Ｓ６２３）を実行する。スキャン処理終了後は、小切手Ｃの排出判断（Ｓ６２４）を行い、排出を判断した時点でスキャナ送り用モータ４１の駆動を停止（Ｓ６２５）すると共に、用紙位置決め部材２０を閉状態（Ｓ６２６）にして小切手印字制御を終了する。
【００２５】
図７は、レシート印字制御を示すフローチャートである。この図に示されるように、レシート印字制御においては、レシート搬送モータ４２を排出口方向に駆動させながら、店舗名印字処理（Ｓ７０１）と、取引日時印字処理（Ｓ７０２）と、取引内容印字処理（Ｓ７０３）と、スキャン画像データ印字処理（Ｓ７０４）とを実行する。スキャン画像データ印字処理では、スキャナ２５がスキャンした小切手Ｃのスキャン画像のうち、既印字部である小切手シリアル番号２９と、表印字ヘッド２３で印字されたマークＭとを含む部分がロール紙Ｐに印字される。その後、カッター機構３４によりロール紙Ｐの印字部分（レシートＲ）を切断（Ｓ７０５）してレシート印字制御を終了する。尚、固定データである店舗名は、前回レシート発行時に予め印字しておくようにしてもよい。
【００２６】
以上の如く本実施形態によれば、小切手処理装置１０は、小切手Ｃに所定の記載事項を印字する表印字ヘッド２３と、印字後の小切手Ｃをスキャンするスキャナ２５と、小切手Ｃによる取引内容をレシートＲに印字するレシート用印字ヘッド３２と、記載事項と共に所定のマークＭを小切手Ｃに印字する手段（小切手印字制御）と、スキャン画像のうちマークＭを含む部分を、取引内容と共にレシートＲに印字する手段（レシート印字制御）とを備えて構成される。従って、オペレータは、レシートＲを顧客に渡す前に、レシートＲに印字されたスキャン画像（マークＭ）を確認し、これが不適切である場合には、小切手Ｃの電子決済を中止して小切手Ｃの現物処理に切り換えたり、表印字ヘッド２３のインクリボンを交換してから再処理する等の対処が可能になる。その結果、小切手Ｃのスキャン画像データに基づいて電子決済を行うものでありながら、不適切な画像データに起因する決済トラブルを防止することができる。
【００２７】
また、スキャン画像のうち、小切手Ｃの既印字部（例えば小切手シリアル番号２９）およびマークＭを含む部分をレシートＲに印字するため、レシートＲに印字されたマークＭの画像に基づいて表印字ヘッド２３の印字品質（インクリボン濃度、印字ヘッドのドット抜け等）を確認することができる許りでなく、レシートＲに印字された既印字部分の画像に基づいてスキャナ２５の読み取り品質（故障等）を確認することができる。
【００２８】
また、マークＭは、表印字ヘッド２３の全てのドット印字要素を使用して印字される形状（例えば”■”）であるため、表印字ヘッド２３のドット抜けを容易にチェックすることができる。
【００２９】
また、マークＭの印字位置は、小切手Ｃの既印字部である小切手シリアル番号２９の近傍であるため、小切手シリアル番号２９をレシートＲに印字することができ、しかも、小切手Ｃにおける小切手シリアル番号２９の位置は、小切手Ｃの隅部であるため、記載事項とマークＭとが重なる不都合も回避することができる。
【００３０】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。
【００３１】
【発明の効果】
以上の如く本発明によれば、小切手のスキャン画像データに基づいて電子決済を行うにあたり、前記画像データの品質をその場で確認することを可能にし、不適切な画像データに起因する決済トラブルを防止することができる。
【図面の簡単な説明】
【図１】小切手処理装置の斜視図である。
【図２】小切手処理装置の内部構造を示す側断面図である。
【図３】小切手（パーソナルチェック）の表面を示す図である。
【図４】レシートを示す図である。
【図５】制御部の入出力を示すブロック図である。
【図６】小切手印字制御を示すフローチャートである。
【図７】レシート印字制御を示すフローチャートである。
【符号の説明】
Ｃ  小切手
Ｍ  マーク
Ｐ  ロール紙
Ｒ  レシート
１０  小切手処理装置
１２  小切手挿入口
１３  小切手排出口
１４  レシート排出口
２１  裏印字ヘッド
２３  表印字ヘッド
２５  スキャナ
２９  小切手シリアル番号
３２  レシート用印字ヘッド
３８  スキャン画像データ
３９  制御部
【図１】
0004734780.tif 000002
【図２】
0004734780.tif 000003
【図３】
0004734780.tif 000004
【図４】
0004734780.tif 000005
【図５】
0004734780.tif 000006
【図６】
0004734780.tif 000007
【図７】
0004734780.tif 000008